(57)【要約】【課題】  大きいディスクと小さいディスクとに、物理的にアクセスすることが可能なディスクドライブを提供すること。【解決手段】  異なる大きさのディスクの読み出し／書き込みが可能なディスクドライブ装置は、第1のプレイ位置で第1のタイプのディスクを保持し、かつ、回転させるための第1の回転ドライブデバイスと、そのプレイ位置で、回転している第1のタイプのディスクの表面（103）を走査するための走査手段とを備える。ディスクドライブ装置は、更に、第2のプレイ位置で第2のタイプのディスクを保持し、かつ、回転させるための、走査手段の反対に配置されている第2の回転ドライブデバイスを備える。当該走査手段は、そのプレイ位置で、回転している第2のタイプのディスクの表面を走査することも可能である。
2005535057.tif 000002
【特許請求の範囲】
【請求項１】
第1のプレイ位置で第1のタイプのディスクを保持し、かつ、回転させるための第1の回転ドライブデバイスと、
第2のプレイ位置で第2のタイプ・ディスクを保持し、かつ、回転させるための第2の回転ドライブデバイスと、
そのプレイ位置で回転ディスクの表面を走査するための走査手段と、を備え、
前記第2の回転ドライブデバイスは、前記走査手段の反対側に配置されている、
異なる大きさのディスクの読み出し／書き込みが可能なディスクドライブ装置。
【請求項２】
当該第1の回転ドライブデバイスは、第1の回転軸を規定し、かつ
当該第2の回転ドライブデバイスは、前記第1の回転ドライブデバイスの前記第1の回転軸から距離を置いた位置にある第2の回転軸を規定する、請求項1に記載のディスクドライブ装置。
【請求項３】
当該第2の回転ドライブデバイスは、第2のモータ・ハブに係合し、かつ、それをドライブするための第2のモータを備え、
当該第2のモータ・ハブは、完全に独立してディスクを保持するように適合化されている、上記いずれかの請求項に記載のディスクドライブ装置。
【請求項４】
当該第2のモータ・ハブは、たとえば、磁性材料を備えることにより、または、電磁石を備えることにより、少なくとも部分的に磁性を有する、請求項3に記載のディスクドライブ装置。
【請求項５】
作動中、当該第2のモータ・ハブの前端面は、当該ディスクの上部表面と接触し、
当該第2の回転ドライブデバイスは、反対側の下部ディスク表面側の付加的なクランプ部材から自由である、請求項3または4に記載のディスクドライブ装置。
【請求項６】
少なくとも当該第2のモータ・ハブは、停止位置とピックアップ位置との間で、軸方向に変位可能である、請求項3から5のいずれかに記載のディスクドライブ装置。
【請求項７】
当該第2のモータ・ハブは、前端面およびそこから突出している中心部を有し、
当該中心部は、小さいディスクの中心ホールの内径に対応する外径を有していて、
当該中心部は、好ましくは、ディスク・ハブの軸寸法よりも小さい軸寸法を有している、請求項3から6のいずれかに記載のディスクドライブ装置。
【請求項８】
当該走査手段は、水平旋回軸に対してフレームに旋回可能に結合されているサブフレーム上に変位可能にマウントされているスライドを備える、上記請求項のいずれかに記載のディスクドライブ装置。
【請求項９】
当該第1の回転ドライブデバイスは、当該サブフレーム上にマウントされている少なくとも一つのハブを備える、請求項8に記載のディスクドライブ装置。
【請求項１０】
当該第1の回転ドライブデバイスは、更に、当該サブフレーム上にマウントされているスピンドルモータおよび当該フレーム上にマウントされている第2のハブを備え、
前記第1のハブは、当該スピンドルモータのスピンドルにマウントされている、請求項9に記載のディスクドライブ装置。
【請求項１１】
更に、挿入位置でディスクを受け、かつ、プレイ位置まで前記ディスクを持ち込むように適合化されている挿入機構を備え、
当該挿入機構は、搬送トレイがディスクドライブの外側に位置する挿入位置と、前記搬送トレイが当該ディスクドライブの内側に位置するプレイ位置との間で往復運動することが可能な前記搬送トレイを備える、上記請求項のいずれかに記載のディスクドライブ装置。
【請求項１２】
当該搬送装置トレイは、前記搬送トレイの上面に凹部として形成されている、第1の中心を有する、第1の受付空間を備え、
当該搬送装置トレイは、更に、当該上面に凹部として形成されている、第2の中心を有する、第2の受付空間を備え、
前記第2の受付空間は、前記第1の受付空間の直径よりも小さい直径を有し、
当該搬送装置トレイは、更に、少なくとも、当該第1の中心と当該第2の中心とに一致する開口部を有する、請求項11に記載のディスクドライブ装置。
【請求項１３】
当該搬送装置トレイは、当該第2の回転ドライブデバイスの下で、かつ、当該走査手段の上に配置されている、請求項11から12のいずれかに記載のディスクドライブ装置。
【請求項１４】
搬送トレイ上のディスクを受入れる第1のステップと、
前記第2の回転ドライブデバイスと位置合わせされているプレイ位置に前記ディスクを持ち込むための前記搬送トレイを移動する第2のステップと、
当該第2の回転ドライブデバイスのモータ・ハブによって当該ディスクをピックアップする第3のステップと、
当該キャリア・トレイから当該ディスクを持ち上げる第4のステップと、
当該ディスクの方へ当該走査手段を上昇させる第5のステップとを、
ディスクの挿入動作で実行するように適合化されている、上記いずれかの請求項に記載のディスクドライブ装置。
【請求項１５】
当該第3ステップは、当該搬送トレイ上に置かれている当該ディスクに向けて、少なくとも当該モータ・ハブを、軸方向に下げるステップを備え、
かつ、当該第4のステップは、当該ディスクを保持している少なくとも当該モータ・ハブを軸方向に上昇させるステップを備える、請求項14に記載のディスクドライブ装置。
【請求項１６】
当該第3のステップは、当該モータ・ハブの前端面に、当該ディスクを磁気的に引き寄せるステップを備える、請求項15に記載のディスクドライブ装置。
【請求項１７】
磁気的に引き寄せ可能な環状ディスク・ハブを備える記録ディスクであって、
前記ディスクが、書き込み／読み出しピックアップに面する第1の主要な表面と、
請求項1から16のいずれかに記載のディスクドライブ装置のモータ・ハブの前端面に面する当該第1の主要な表面とは反対側の第2の主要な表面とを有し、
当該環状ディスク・ハブは、前記ディスクの当該第2の主要な表面と同一平面である、または、好ましくは、前記ディスクの当該第2の主要な表面から下に短い距離に渡ってわずかに凹部が形成されている、上面を有する、記録ディスク。
【請求項１８】
当該環状ディスク・ハブは、前記ディスクの当該第1の主要な表面と同一平面である、または、好ましくは、短い距離に渡って前記ディスクの当該第1の主要な表面からわずかに凹部が形成されている下部表面を有し、
好ましくは、当該2つの距離が同一であって、当該環状ディスク・ハブが、対称形である、請求項17に記載の記録ディスク。
【発明の詳細な説明】
【技術分野】
【０００１】
本発明は、概して、光記憶ディスクに情報を書き込み、または、光記憶ディスクから情報を読み出すためのディスクドライブ装置に関する。以下、このようなディスクドライブ装置は、「光ディスクドライブ」としても表示されるであろう。
【背景技術】
【０００２】
周知のように、光記憶ディスクは、情報が記憶されるであろう、連続螺線または多数の同心円のいずれかの形態の、記憶空間の少なくとも一つのトラックを備える。光ディスクは、情報が製造中に記録され、ユーザはそのデータを読み出すことしかできない、読み出し専用のタイプとすることができる。また、光記憶ディスクは、ユーザが情報を記憶させることができる、書き込み可能なタイプとすることもできる。光ディスクドライブは、光記憶ディスクの記憶空間に情報を書き込むため、または、光記憶ディスクから情報を読み出すために、一方では、光ディスクを受け取り、かつ、回転させるための手段を備え、かつ、他方では、記憶トラックを光ビーム（通常、レーザービーム）で走査するための移動可能な光ヘッドを備える。概して、情報を光ディスクに記憶する方法、および、光データを光ディスクからの読み出す方法は、光ディスクの技術から、周知であるので、更に詳細に、この技術について記述することは、ここでは必要ない。
【０００３】
光ディスクドライブは、光ディスクを受け取るために、通常、搬送トレイを備える。このトレイは、ユーザがディスクを置くこと可能となるように、トレイがディスク・ドライブ・ハウジングの外側に位置する受け取り位置と、ディスクが当該ディスク・ドライブ・ハウジングの内側に位置し、かつ、回転手段によって回転させ、かつ、光ヘッドによってアクセスされる走査位置との、間で移動可能である。
【０００４】
回転しているディスクを光走査するために、光ヘッドの少なくとも対物レンズは、光ディスクの半径方向に移動可能なスライドにマウントされているレンズホルダーに収められている。このスライドは、変位が直線となる線形タイプ、または、変位が曲線となる旋回タイプとすることができる。
【０００５】
光ディスクドライブは、光ディスクを回転させるために、上部ハブ部と下部ハブ部とを備えるモータドライブハブを備える。2つのハブ部は、軸方向に位置合わせされていて、かつ、ハブ部の間の光ディスクの中心部をクランプするために、互いの方向に移動可能である。通常、一方のハブ部は固定されていて、他方のハブ部は軸方向に移動可能である。通常、移動可能ハブ部は、スピンドルモータのスピンドル回転軸上に、直接配置されている。
【０００６】
光ディスクは、ドライブ・スピンドルモータと、良好な位置合わせがなされていることが重要である。この位置合わせを容易にするために、光ディスクは、軸方向で中心に位置するホールを備えていて、かつ当該ドライブハブ部分の少なくとも一つは、当該ホールに適合する、ディスクに面しているハブ表面の軸方向の中心に配置されているテーパ拡張部分を備えている。
【０００７】
光ディスクおよび光ディスクドライブは、規格化されている。このことは、符号化プロトコルのみならず、特定の部分の寸法にもあてはまる。たとえば、CDディスクまたはDVDディスクは、外径が12cmであり、かつ、その中心に位置するホールは、直径が15mmである。ハブ部は、通常、約25mmオーダーの直径を有する。さらに、レンズホルダーおよびスライドは、特定の物理的な大きさを有する。これは、結局、光ディスクの半径方向の内側部分は、ディスクドライブ光学がアクセスすることが不可能であることを意味する。通常、光ディスクのこのアクセス不可能な内側部分は、約40mmオーダーの直径を有する。
【０００８】
最近の開発は、より小さい寸法を有する（通常、約30mmオーダーの外径を有する）ディスクにかかわる。本願発明においては、このようなディスクを、以下、「小さいディスク」と表示し、より大きい従来のディスクを、以下、「大きいディスク」と表示する。以下に「小さいドライブ」と表示される、このような小さいディスク用のディスクドライブは、以下「大きいドライブ」と表示される、従来のディスクドライブよりも非常に小さく、かつ、通常、小さい、たとえば、携帯電話機、個人用携帯情報端末などのようなハンドヘルド機器に用途を見出すであろう。小さいドライブは、大きいドライブを小型化させたバージョンとして、または、完全に新しいコンセプトに従って、設計することができ、かつ、一つ以上の新たな規格を開発することができる。
【０００９】
小さいディスクを、大きいドライブによっても扱うことを可能とすることは、極めて望ましい。たとえば、これにより、ユーザが、このようなディスクの読み出し／書き込みを、自身のPCまたはディスク・タイプのビデオレコーダを用いて行うことが可能となるであろう。この特徴を可能にするためには、2つの重要な条件が、満足されなければならない。第一に、小さいディスクは、大きいドライブと下位互換性を有するべきである。換言すれば、小さいディスクに書き込むために用いられるフォーマットを、大きいディスクに書き込むために用いられるフォーマットは、（ほぼ）同一であるべきである。この結果、大きいドライブが、小さいドライブによって何が書き込みされているか、またはその逆の場合を「理解」することができる。第二に、大きいドライブが、小さいディスクに物理的にアクセスすることが可能であるべきである。
【００１０】
本発明は、特に、この第二の条件に関する。上記のように、大きいディスクドライブは、直径が40mm未満のトラックにアクセスすることを可能とするようには設計されていない一方で、小さいディスクは、外径が30mmである。したがって、大きなディスクを扱うための回転および走査手段が、特別な対策を施すことなしに、小さいディスクを扱うことが不可能であるということは、明白であろう。
【００１１】
本発明の一般的な目的は、この問題を解決することである。
【００１２】
より詳しくは、本発明の目的は、大きいディスクと小さいディスクの両方に、物理的にアクセスすることが可能なディスクドライブを提供することである。
【発明の開示】
【課題を解決するための手段】
【００１３】
本発明の重要な態様によれば、ディスクドライブは、大きいディスクを回転させるように適合化されている第1の回転手段と、小さいディスクを回転させるように適合化されている第2の回転手段とを備える。
【００１４】
欧州特許第0,275,600号明細書には、異なるタイプのディスク、すなわち、音声ディスクおよびビデオディスクの走査に適したディスクドライブが記述されている。ここで、回転手段は、第1のタイプのディスクを回転させるための第1のモータドライブターンテーブルと、第2のタイプのディスクを回転させるための、第1のターンテーブル上に配置することができ、かつ移動可能である、第2のターンテーブルとを備える。このアプローチは、異なるタイプのディスクを保持する問題に対する解決法を提供するが、本発明の基本的問題を解決するためには適切ではない。その理由は、小さいディスクのトラックが、依然、ディスクドライブの光学系がアクセスすることができないディスク領域内にあるからである。
【００１５】
米国特許4,575,836号明細書には、異なるタイプのディスク、すなわち、音声ディスクおよびビデオディスクの走査に適したディスクドライブが記述されている。ここで、回転手段は、第1のタイプのディスクを回転させるための第1の回転ドライバと、第2のタイプ・ディスクを回転させるための第2の回転ドライバとを備える。第1の回転ドライバは、一組の第1のターンテーブルと第1のドライブモータとを備える。第2の回転ドライバは、一組の第2のターンテーブルと第2のドライブモータとを備える。第1の回転ドライバおよび第2の回転ドライバは、プレイ位置内に、第1の回転ドライバと第2の回転ドライバとのいずれかを選択的に持ち込むために移動可能である移動可能ホルダーにマウントされている。第2の回転ドライバのプレイ位置は、第1の回転ドライバのプレイ位置と同一である。第1の回転ドライバがプレイ位置にある場合、第1のターンテーブルは、ビデオディスクを受入れる用意ができている。第2の回転ドライバがプレイ位置にある場合、第2のターンテーブルは、音声ディスクを受入れる用意ができている。上記ホルダーの動きは、減速ギヤを介して、別々の回転モータによって行われる。
【００１６】
全体としてみれば、この従来技術のディスクドライブの機構は、扱いにくいし、複雑であるし、高価であり、さらには、ディスクドライブの重量を増加させている。
【００１７】
更に、この米国特許によってなされるアプローチは、本発明の基本的な問題を解決することには適していない。事実、本発明は、大きいディスクおよび小さいディスクのプレイの問題を扱っているのに対し、上記刊行物は、大きいディスク（音声ディスク; 12cm）および更に大きいディスク（ビデオディスク; 20〜30 cm）のプレイの問題に対処している。両方のプレイ状況では、ピックアップの大きさと組み合わせたターンテーブルの大きさは、小さいディスク（3cm）の大きさよりも大きい、アクセスできないディスク領域となってしまう。
【００１８】
米国特許4,796,251号明細書には、異なるタイプのディスク、すなわち、音声ディスクおよびビデオディスクの走査に適しているディスクドライブについても記述されている。米国特許4,575,836号明細書に類似して、回転手段は、第1のタイプのディスクを回転させるための第1の回転ドライバと、第2のタイプのディスクを回転させるための第2の回転ドライバとを備える。第1の回転ドライバは、一組の第1のターンテーブルと第1のドライブモータとを備える。第2の回転ドライバは、一組の第2のターンテーブルと第2のドライブモータとを備える。第1の回転ドライバは、固定されていて、かつ、常に、そのプレイ位置にある。第2の回転ドライバは、停止位置と第1の回転ドライバのプレイ位置とは異なるプレイ位置との間で移動可能である。ディスクドライブがビデオディスクをプレイする場合、第2の回転ドライバは、第2のターンテーブルが走査手段の動作を妨げないような、その停止位置で回転される。ディスクドライブが音声ディスクをプレイする場合、第2の回転ドライバは、第2のターンテーブルが音声ディスクを受入れる用意ができている、そのプレイ位置で回転される。第2の回転ドライバのプレイ位置は、音声ディスクが第1のターンテーブルに触れることがない位置である。第2の回転ドライバは、減速ギヤを介して、別々のモータによって移動される。
【００１９】
全体としてみれば、この従来技術のディスクドライブの機構は、米国特許4,575,836号明細書の場合よりも大きくないものの、どちらかといえば、扱いにくく、複雑であり、高価であり、さらに、ディスクドライブの重量を増加させている。
【００２０】
更に、米国特許4,575,836号明細書と同様に、この米国特許によってとられるアプローチは、本発明の基本的な問題を解決することに適していない。さらにまた、本発明は、大きいディスク（12cm）および小さいディスク（3cm）のプレイの問題を扱っているのに対し、この米国特許は、大きいディスク（音声ディスク;12cm）および一層大きいディスク（ビデオディスク; 20〜30 cm）のプレイの問題に対処している。両方のプレイ状況では、ピックアップの大きさと組み合わせたターンテーブルの大きさは、小さいディスク（3cm）の大きさよりも大きい、アクセスできないディスク領域となってしまう。
【００２１】
本発明は、異なる大きさのディスクを扱うことができる従来技術のディスクドライブが、全て、共通する問題を有している、すなわち、移動可能光学スライドおよび一つ以上のターンテーブルが、常にディスクの同じ面に置かれている、という認識に基づいている。したがって、移動可能スライドは、常に、ターンテーブルに出会い、かつ、（約）40mmよりも小さい直径を有するトラックには決してアクセスすることができない。
【００２２】
本発明は、この認識に基づいて、ディスクの一方の側（移動可能光学スライドの反対側）のみに配置されているクランプ部品を有するディスク回転手段を備えるディスクドライブを提供することによって、上で特定した問題を解決する。この場合、光学スライドは、ディスク回転手段のいかなる部品にも出会はないので、半径=0から外側の半径までの全てのディスク表面部に自由にアクセスすることができる。
【発明を実施するための最良の形態】
【００２３】
本発明の、これらのおよび他の、態様、特徴および利点は、図面を参照して本発明に従う光ディスクドライブの以下の記載により、更に説明されるであろう。図面では、同じ参照番号は、同じまたは類似した部分を示している。
【００２４】
図1は、フロントパネル3を有するハウジング2を備えるディスクドライブ装置1の概略を例示している斜視図である。通常、そして図示されているように、フロントパネル3は、垂直の寸法よりも水平の寸法が大きい矩形の形状であるが、このことは重要ではない。便宜のために、水平方向は、以下、X方向と表示され、さらに、垂直方向は、以下、Z方向と表示されるであろう。フロントパネル3には、同様に形状が矩形である開口部4が形成されているが、このことも重要ではない。開口部4は、蓋5によって閉じられる。ディスクドライブ装置1を動作させるための制御ボタンは、簡潔さの目的のため、図示されていない。
【００２５】
ディスクドライブ装置1は、更に、当該X方向およびZ方向に対して直角であるY方向に移動可能な引き出しタイプの搬送トレイ10を備えている。図1に例示されている、第1の終端位置では、蓋5が、開いていて、かつ、搬送トレイ10が、開口部4を介して部分的に延在している。この位置で、ユーザは、ディスクを、搬送トレイ10に配置することができる。この第1の終端位置は、以下、挿入位置とも表示されるであろう。
【００２６】
図1に例示されていない、第2の終端位置では、搬送トレイ10は、ハウジング2内の位置に回収され、かつ、蓋5は、閉じられている。この位置では、搬送トレイ10に配置されているディスクを、プレイ（すなわち、読み出しまたは書き込みを）することができる。この第2の終端位置は、以下、プレイ位置とも表示されるであろう。
【００２７】
このような引き出しタイプの搬送トレイ10は、搬送トレイ10のY方向の移動をガイドするための手段およびドライブするための手段であり、それ自体、ディスクドライブとして既知である。その上、さらに、このようなガイド手段およびドライブ手段は、本発明の主題と関係なく、かつ、それらの設計および動作の認識は、本発明を理解するために必要でない、ということに留意すべきである。したがって、このようなガイド手段およびドライブ手段は、図示されておらず、かつ、詳細に議論されていない。
【００２８】
搬送トレイ10の上面11には、大きいディスク（図示せず）を受入れるために、この場合には部分的に環状の外周部12aおよび底部12bを有する凹部として、第1の受け入れ空間12が、形成されている。同様に、小さいディスク（図示せず）を受入れるために、この場合には部分的に環状の外周部13aおよび底部13bを有する凹部として、第2の受け入れ空間13が、形成されている。第1の環状の受け入れ空間12の中心は、12cで表示され、かつ、第2の環状の受け入れ空間13の中心は、13cで表示されている。2つの受け入れ空間12および13は、Y方向で位置合わせされ、すなわち、中心12cおよび13cは、Y方向に沿って共通線15上に位置している。
【００２９】
更に、Y方向およびX方向に十分な拡がりを有していて、かつ、少なくとも第1の中心12cから第2の中心13cを介して第1の外周部12aまで延在している、開口部14が、搬送トレイ10に形成されているので、以下更に詳細に説明されるように、回転手段および走査手段が、搬送トレイ10上に配置されているディスクにアクセスすることが可能になる。
【００３０】
図2A〜図2Cは、ディスクドライブ装置1のいくつかの部品の部分を一般的に示す、当該共通線15におけるディスクドライブ装置1の一般的な断面図である。簡潔性のために、従来技術の部品と同一であって、本発明を理解するために必要でなく、および／または、当業者にとって明らかな部品は、これらの図に示されていない。
【００３１】
ディスクドライブ装置1のフレーム部分は、20で表示されている。ディスクドライブ装置1は、更に、この例ではX方向に沿った方向の水平旋回軸22に関して、フレーム20に旋回可能に結合されている、サブフレーム21を備える。
【００３２】
ディスクドライブ装置1は、大きいディスクをドライブするための第1の回転ドライブデバイス30を備える。第1の回転ドライブデバイス30は、スピンドル回転軸32を備えるスピンドルモータ31と、スピンドル回転軸32にマウントされているモータ・ハブ33とを備える。スピンドルモータ31は、当該サブフレーム21にマウントされている。第1の回転ドライブデバイス30は、更に、装置フレーム20に（回転は自由であるが）固定的にマウントされている固定ハブ34を備えている。モータ・ハブ33は、前端面33aと、そこから突出しているテーパ凸部33bとを有する。固定ハブ34は、前端面34aと、テーパ凹部34bとを有する。第1の回転ドライブデバイス30の第1の回転軸は、35で表示されている。
【００３３】
この回転軸35は、Z方向に従って延在していることに留意されたい。以下、「上」および「下」という指示は、図1に例示されるように、この装置が、その通常の動作位置に配置されているとの仮定の基に、Z方向に対して使用される。
【００３４】
固定ハブ34は、経路およびその後の移動可能搬送装置トレイ10の上にマウントされていて、かつ、スピンドルモータ31およびモータ・ハブ33を有するサブフレーム21は、当該経路の下にマウントされている。図2Aは、ディスクドライブ装置1の挿入状態を例示している。ここでは、図1に例示されているように、移動可能搬送トレイ10は、その挿入位置にある（すなわち、ハウジング2の外側に延在している）。この挿入状態では、サブフレーム21は、十分な角度αで下方へ旋回されているので、移動可能搬送トレイ10は、モータ・ハブ33と固定ハブ34との間を、影響を受けずに通過することが可能になる。
【００３５】
図2Aは、搬送トレイ10の第1の受け入れ空間12に配置されている大きいディスク100を例示している。ディスク100は、第1の受け入れ空間12の底部12bの上に載置されている状態で示されている。ディスク100の中心ホールは、101で表示されている。第1の受け入れ空間12の外周部12aが（充分な隙間を有するが）ディスク100の外径に対応するので、ディスク100の中心ホール101は、実質的に、第1の環状の受け入れ空間12の当該中心12cに、位置合わせされている。上面102には、識別のためのラベルを貼ってもよい。底面103は、情報が既に記録されているまたは情報を記録することが可能な面で、かつ、記録または読み出し中にレーザー光線が照射される面に関する。
【００３６】
適切なユーザの命令に応答して、搬送トレイ10は、そのプレイ位置へ向けて、ハウジング2内に引き込まれる。搬送トレイ10は、その挿入位置からそのプレイ位置までのその走行では、上で指摘したように、モータ・ハブ33および固定ハブ34によって妨げられない。図2Bは、搬送トレイ10がそのプレイ位置に到達した状態を示している。この位置では、第1の環状の受け入れ空間12の中心12c、および、それゆえ、ディスク100の中心ホール101は、実質的に、当該第1の回転軸35に位置合わせされている。
【００３７】
続いて、第1の回転ドライブデバイス30をディスク100に係合させるために、サブフレーム21を、上方向に旋回させる。サブフレーム21の上方への動きに起因して、モータ・ハブ33のテーパ凸部33bが、ディスク100の中心ホール101に入り、したがって、ディスク100を中心に位置させ、そして、固定ハブ34のテーパ凹部34bに入る。モータ・ハブ33の前端面33aは、第1の受け入れ空間12の底部12bから、ディスク100を持ち上げる。最後に、ディスク100の環状中心部は、モータ・ハブ33の前端面33aと固定ハブ34の前端面34aとの間で確実にクランプされる。今や、スピンドルモータ31が励磁されると、ディスク100は、このモータと共に回転するであろう。
【００３８】
サブフレーム21は、光走査手段40のスライド41も担持している。光走査手段40は、更に、レンズホルダー43内にマウントされている光レンズ42を備えている。スライド41は、Y方向に平行の方向にサブフレーム21に沿って動かされる。これにより、光レンズ42は、ディスク100に対して半径方向に移動させることが可能になる。図2Bに示されているように、サブフレーム21がその下側の位置にある場合には、光レンズ42は、ディスク100の邪魔にはならない。図2Cに示されるように、サブフレーム21がその上部の位置にある場合には、光レンズ42は、ディスク100の下部表面103に近接している。今や、大きいディスク100は、従来のように、記録または読み出しのために、走査させることが可能になる。
【００３９】
このような変移可能なスライド21は、スライド21のY方向の移動をガイドする手段およびドライブする手段であるので、それ自体、ディスクドライブ用として既知である。その上、このようなガイド手段およびドライブ手段は、本発明の主題と関係なく、かつ、これらの設計および動作の知識は、本発明の理解に不必要であることに留意されたい。したがって、このようなガイド手段およびドライブ手段は、図示されておらず、かつ、詳細に議論されないであろう。
【００４０】
さらに、スライド21は、大きなディスク100の外径に対応する第1の終端位置（図2Cの左側）と、スライド21がスピンドルモータ31にもモータ・ハブ33aにも接触しないように配置されているストップ（図示せず）によって規定される第2の終端位置との間を、移動させることが可能であることに留意されたい。したがって、当業者にとって明らかとなるであろうように、スライド41の大きさと組み合わせたスピンドルモータ31およびモータ・ハブ33aの大きさが、ディスク100のアクセスできない部分を規定する。以下では、当該2つの終端位置間の走行経路は、「半径レンジ」と表示されるであろう。
【００４１】
書き込みまたは読み出し動作が完了し、かつ、ディスク100を装置から取出すべき場合には、上述の各ステップが、逆の順序で繰り返される。サブフレーム21が、下がるので、モータ・ハブ33は、ディスク100が再度搬送トレイ10上で停止するまで、ディスク100を下げる。サブフレーム21が、更に下げられると、搬送トレイ10は、図2Aに例示されるY方向に、その挿入位置の方へ移動される。今や、ユーザは、搬送トレイ10からディスク100を取り出すことが可能である。
【００４２】
さらに、図2A〜図2Cに示されていて、かつ、図3A〜図3Cを参照して更に詳細に説明されたように、ディスクドライブ装置1は、更に、小さいディスクをドライブするための第2の回転ドライブデバイス50を備える。第2の回転ドライブデバイス50は、モータ・ハブ53を有し、当該フレーム20にマウントされている、第2のモータ51を備える。第2の回転ドライブデバイス50の第2の回転軸は、55と表示されている。図2A〜図2Cおよび図3A〜図3Cに明示されているように、第2の回転軸55は、第1の回転ドライブデバイス30の第1の回転軸35から距離を置いた位置にある。
【００４３】
第2のモータ51は、スピンドル回転軸32にマウントされている第1のモータ31のような、スピンドルモータとして実施しても良い。空間を節約するために、第2のモータ51は、軸寸法のみが非常に小さいことが好ましい。通常、ディスク・ドライブ・ハウジング内のディスクより上には、多くの空間は存在していない。
【００４４】
図4は、中心ホール201を有する小さいディスク200と共に、スケールがより大きい第2のモータ51を例示している。上面202には、識別のためのラベルを貼っても良い。底面203は、情報が既に記録されているまたは情報を記録することが出来、かつ、記録または読み出し中にレーザー光線が照射される面に関する。
【００４５】
第2のモータ・ハブ53は、前端面53aと、そこから突出していて、テーパ縁（図示せず）を有する中心部53bとを有する。中心部53bは、小さいディスク200の中心ホール201の内径に対応する外径を有している。
【００４６】
本発明の重要な態様によれば、第2のモータ・ハブ53は、完全に独立して（すなわち、第1の回転ドライブデバイス30に用いられている中心ハブのような付加的なクランプ手段を必要とせずに）、小さいディスク200を保持するように適合化されている。好ましい実施例では、第2のモータ・ハブ53は、たとえば、磁性材料を備えることによって、または、電磁石を備えることによって、少なくとも部分的に磁性を有している。更に、この好ましい実施例の場合、小さいディスク200には、たとえば、少なくとも部分的に、磁性材料または磁化可能な材料を持たせることによって、磁気的に引きつけ可能な環状ディスク・ハブ210が、当該ホール201の周辺に設けられている。
【００４７】
小さいディスク200が第2のモータ・ハブ53によって保持されているときには、環状ディスク・ハブ210の上面212は、第2のモータ・ハブ53の前端面53aと接触し、かつ、第2のモータ・ハブ53の中心部53bは、ディスク200の中心ホール201内に延在する。第2のモータ・ハブ53の中心部53bは、環状ディスク・ハブ210の底部表面213を越えて延在しない、すなわち、第2のモータ・ハブ53の中心部53bの軸寸法は、ディスク・ハブ210の軸寸法よりも小さいことが好ましい。
【００４８】
ディスク・ハブ210の上面212は、ディスク200の上面202と同一平面としてもよい。しかしながら、可能な限り全体的な軸大きさを減少させるために、ディスク・ハブ210の上面212は、ディスク200の上面202から下に小さい間隔d1に渡って凹部が形成されていることが好ましい。
【００４９】
ディスク・ハブ210の底部表面213は、ディスク200の底部表面203の下に、突出していないことが好ましい。換言すれば、ディスク・ハブ210の底部表面213は、ディスク200の底部表面203と同一平面である、または、小さい間隔d2に渡ってディスク200の底面203からわずかに凹部が形成されていることが好ましい。しかしながら、ディスク・ハブ210の底部表面213が、小さい間隔d2に渡ってディスク200の底部表面203の下にわずかに突出する場合であっても、この間隔が、ディスク200の底部表面203と光システム40のいかなる部品との間の作動可能な間隔よりも小さい限り、許容可能とすることができる。
【００５０】
ディスク・ハブ210は、第1の間隔d1が第2の間隔d2に等しくなるように、対称形であることが好ましい。その場合、小さいディスク200は、磁気モータ・ハブがその底部表面213でディスク・ハブ210を保持する装置にも用いることが可能である。
【００５１】
モータ51がモータ・ハブ53を回転させるとき、小さいディスク200は、モータ・ハブ53の前端面53aによって、上部ディスク・ハブ表面212に及ぼされる摩擦力で、回転が引き起こされる。通常、この摩擦力は、高い信頼性で、ディスク200を回転させるのに十分である。しかしながら、必要に応じて、たとえば、当該各表面のいずれかまたは両方に、小さい溝および／または隆起を設けることによって、当該表面間の連結結合を提供することも可能である。
【００５２】
図2A〜図2Cに関しては、第2のモータ51は、搬送トレイ10がその挿入位置からそのプレイ位置までのその走行の際にこの第2のモータによって妨げられないような位置内で、その後移動可能搬送トレイ10が動く当該経路の上にマウントされているということに留意されたい。大きいディスク100は、そのプレイ位置に持ち込まれるときに、この第2のモータによって妨げられることはない。
【００５３】
小さいディスク200についての、ディスクドライブ装置1の動作は、次に図3A〜図3Cを参照して更に詳細に説明される。
【００５４】
図2Aと同様に、図3Aは、ディスクドライブ装置1の挿入状態を例示している。サブフレーム21は、その下に旋回された位置にある。図2Aとは対照的に、図3Aは、搬送トレイ10の第2の受け入れ空間13に配置されている小さいディスク200を例示している。ディスク200は、第2の受け入れ空間13の底部13bに載置されている状態で示されている。第2の受け入れ空間13の外周部13aが（充分な隙間を有するが）ディスク200の外径に対応するので、ディスク200の中心ホール201は、実質的に、第2の環状の受け入れ空間13の当該中心13cに、位置合わせされている。
【００５５】
適切なユーザの命令に応答して、搬送トレイ10は、そのプレイ位置へ向けて、ハウジング2内に引き込まれる。搬送トレイ10は、その挿入位置からそのプレイ位置へのその走行では、上で指摘したように、モータ・ハブ33および固定ハブ34によって妨げられない。さらに、第2の受け入れ空間13の底部13bに載置されている小さいディスク200は、第1の回転ドライブデバイス30の固定ハブ34によって、妨げられない。図3Bは、そのプレイ位置に到達した搬送装置トレイ10を示している。この位置では、第2の環状の受け入れ空間13の中心13c、および、それゆえ、小さいディスク200の中心ホール201は、実質的に、第2の回転ドライブデバイス50の当該第2の回転軸55に，位置合わせされている。
【００５６】
小さいディスク200は、ここで、第2のモータ・ハブ53によって、ピックアップされる。このため、ディスクドライブ装置1は、小さいディスク200および第2のモータ・ハブ53を同時に持ち込むよう適合化されている機構を備えている。図3A〜図3Cに例示されている実施例では、第2のモータ51は、フレーム20に対して軸方向に変位可能となるようにマウントされていている。そして、当該機構は、小さいディスク200の環状ディスク・ハブ210が、モータ・ハブ53に磁気的に引き寄せられるまで、第2のモータ51または少なくともそのハブ53を、第2の受け入れ空間13の底部13b上に載置されている小さいディスク200に向けて、軸方向下方に変位させるための手段を備えている。第2のモータ51のこの位置は、ピックアップ位置として表示されるであろう。次いで、第2のモータ51は、その停止位置の方へ再度持ち上げられ、第2の環状の受け入れ空間13の底部13bから、ディスク200を持ち上げる。図3Bは、当該ピックアップ位置と当該停止位置との間の位置で、ディスク200を保持する第2のモータ51を示している。
【００５７】
図2A〜図2Cを参照して上述したように、サブフレーム21は、続いて、上方向へ旋回され、したがって、スライド41をその走査位置に持ち上げる。図3Cに示されるように、光走査手段40の光レンズ42は、今や、小さいディスク200の下部表面203に近接しており、かつ、小さいディスク200は、今や、記録または読み出しのために走査することが可能である。
【００５８】
この点で、このような走査の間、大きいディスク100は、第1のプレイ位置に保持され（図2C）、これに対して、小さいディスク200は、第1のプレイ位置とは異なる第2のプレイ位置に保持される（図3C）、ということに留意されたい。各々のプレイ位置は、回転軸と、それがそのプレイ位置にあるときに、対応するディスク100、200の底部表面103、203と一致している平面であるプレイ平面とにより規定することが可能である。今や、第2のプレイ位置の第2の回転軸55は、第1のプレイ位置の第1の回転軸35に対して変位している。しかしながら、第2のプレイ位置の第2のプレイ平面は、実質的に、第1のプレイ位置の第1のプレイ平面と一致する。小さい偏差は光システム40の軸サーボシステムによって、容易に解決することが可能であるので、第2のプレイ平面が、第1のプレイ平面に正確に一致する必要はない。どんな場合であっても、小さいディスク200は、いかなる改造も必要としない光システム40によって走査することができる。光システム40に関する限り、大きいディスク100または小さいディスク200の何れが装填されているかは重要でない。システムは、光記録層しか見ない。
【００５９】
本発明の重要な特徴によれば、第2のモータ51は、スライド41の反対側に位置する。換言すれば、第2のモータ51およびスライド41は、そのプレイ位置（図3C）の小さいディスク200に対して、ディスク200の反対側に位置する。そして、スライド41は、走査ビームによって照射されるべき下部ディスク表面203に面し、かつ、第2のモータ51の第2のハブ53は、ラベルを貼っても良い上側ディスク表面202に面している。これは、スライド41に隣接して、すなわち、ディスク100の同じ面に位置している第1の回転ドライブデバイス30の第1のモータ31とは対照的である。本発明の更なる重要な特徴によれば、第2の回転ドライブデバイス50は、スライド41を妨げるかもしれない下部ディスク表面203の付加的なクランプ部材から自由である。これらの発明性のある特徴により、下部ディスク表面203全体が、光走査手段40によってアクセス可能となる。スライド41の半径レンジが、第2の回転軸55と小さいディスク200の外周との間のレンジを完全に覆うという点に、更に留意されたい。
【００６０】
このようにして、本発明は、異なる大きさのディスクの読み出し／書き込みを可能とするディスクドライブ装置を提供することに成功した。このディスクドライブ装置は、第1のプレイ位置で第1のタイプのディスク100を保持し、かつ、回転させるための、第1の回転ドライブデバイス30と、そのプレイ位置で、回転している第1のタイプのディスク100の表面103を走査するための走査手段40とを備える。ディスクドライブ装置1は、走査手段40の反対に配置されていて、第2のプレイ位置で第2のタイプのディスク200を保持し、かつ、回転させるための、第2の回転ドライブデバイス50も備える。当該走査手段40は、そのプレイ位置で、回転している第2のタイプのディスク200の表面203を走査することも可能である。
【００６１】
本発明が、上で議論した例示的な実施例に限定されるものではなく、添付の特許請求の範囲で規定されている、本発明の保護範囲内で様々な変更および修正が可能であるということは、当業者にとって明らかであろう。
【００６２】
たとえば、本発明は、光ディスクのコンテキストで記述されかつ説明されて来たが、本発明の原理は、異なる記憶タイプ、たとえば、磁気ディスクのコンテキストでも適用できる。
【００６３】
更に、本発明は、スライド41が、ディスクのプレイ位置の下で旋回可能なサブフレーム21にマウントされ、かつ、第2のモータ51がディスクのプレイ位置より上でフレーム20にマウントされている装置について記述されかつ説明されて来たが、旋回可能なサブフレーム21が、ディスクのプレイ位置よりも上に配置することも可能であり、さらに、第2のモータ51を旋回しているサブフレーム21にマウントする一方で、スライド41を、固定フレームにマウントすることも可能である。
【００６４】
モータをディスクより上に位置させ、固定ハブ34をディスクの下に位置させるように、第1の回転ドライブデバイス30の配置を変更することも、原則として、可能であるということに留意されたい。しかしながら、その場合には、固定ハブ34が、小さいディスク200へのアクセスを妨害し、かつ、阻止するという理由で、本発明が対処する問題が残る。これ以外では、なお、本発明によって提案された解決案が適用される。
【００６５】
更に、大きいディスクが挿入される場合に、ディスクを傷つけるかもしれないので、第2のモータの軸移動は、防止すべきであるということに留意されたい。したがって、第2のモータに対する軸移動ドライブシステムは、大きいディスクが検出されるときに、移動抑制信号を生成するであろう、大きいディスクの存在を検出するためのセンサ（例えば、光センサ）を備える。
【図面の簡単な説明】
【００６６】
【図１】ディスクドライブ装置の概略を例示する斜視図である。
【図２】本発明に従うディスクドライブ装置の実施例の、大きいディスクの挿入動作における連続的なステップを例示する、一般的な断面図である。
【図３】小さいディスクの搬入動作における連続的なステップを例示する、類似の一般的な断面図である。
【図４】小さいディスク用のマイクロモータを一般的に例示する。
【符号の説明】
【００６７】
1  ディスクドライブ装置
2  ハウジング
3  フロントパネル
4  開口部
5  蓋
10  搬送トレイ
11  上面
12  第1の受け入れ空間
13  第2の受け入れ空間
14  開口部
15  共通線
20  フレーム
21  サブフレーム
22  水平旋回軸
30  第1の回転ドライブデバイス
31  スピンドルモータ
32  スピンドル回転軸
33、53  モータ・ハブ
34  固定ハブ
40  光走査手段
41  スライド
42  光レンズ
43  レンズホルダー
50  第2の回転ドライブデバイス
100、200  ディスク
【図１】
2005535057.tif 000003
【図２】
2005535057.tif 000004
【図３】
2005535057.tif 000005
【図４】
2005535057.tif 000006
【国際調査報告】
2005535057.tif 000007
2005535057.tif 000008